(57)【特許請求の範囲】
【請求項１】
液体用容器（１）のための閉鎖装置（２）において、
前記閉鎖装置（２）は、双安定バルブを備え、
前記双安定バルブは、弁板（３）と、第１および第２弁座（３４，３５）と、を有し、
前記双安定バルブは、液体が前記双安定バルブを通って容器から流出することを許容する開放位置であって、前記弁板（３）が前記第２弁座（３５）に着座する開放位置、および、液体が前記双安定バルブを通って容器から流出するのを防ぐ閉鎖位置であって、前記弁板（３）が前記第１弁座（３４）に着座する閉鎖位置、を有し、
前記弁板（３）は、磁力によって前記開放位置または前記閉鎖位置に保持され、
前記弁板（３）が前記開放位置に保持されているとき、前記弁板（３）を前記開放位置に保持するための磁力よりも大きな力が液体用容器（１）内の液体から前記弁板（３）に加えられると、前記弁板（３）が前記閉鎖位置に移動し、その結果、液体が前記双安定バルブを通って容器から流出することが防がれることを特徴とする閉鎖装置。
【請求項２】
前記第１弁座（３４）が、容器（１）の取り外し可能な蓋に配置され、
前記第２弁座（３５）が、液体を含むことができる容器（１）の本体部分に配置されていることを特徴とする請求項１に記載の閉鎖装置。
【請求項３】
前記第１弁座（３４）が、前記容器（１）の内側の周囲に少なくとも部分的に形成され、内方に延びる第１縁部（４，２９）を備え、
前記第２弁座（３５）が、前記容器（１）の内側の周囲に少なくとも部分的に形成され、内方に延びる第２縁部（５，３０）を備え、
前記開放位置において、前記弁板（３）が前記第２縁部（５，３０）に着座し、前記閉鎖位置において、前記弁板（３）が前記第１縁部（４，２９）に着座することを特徴とする請求項１または２に記載の閉鎖装置。
【請求項４】
前記弁板（３）の周縁には複数の凹部（１０）が形成されており、または、前記弁板（３）には複数の孔（１０）が形成されており、
前記閉鎖装置は、前記弁板（３）が前記閉鎖位置に保持されているときに前記弁板（３）の前記凹部（１０）または前記孔（１０）を覆うシール（２６）を備えたことを特徴とする請求項１乃至３のいずれかに記載の閉鎖装置。
【請求項５】
前記閉鎖位置から前記弁板（３）を移動させるために必要な力の方が、前記開放位置から前記弁板を移動させるために必要な力に比べて大きくなっていることを特徴とする請求項１乃至４のいずれかに記載の閉鎖装置。
【請求項６】
前記弁板（３）がディスクを備えたことを特徴とする請求項１乃至５のいずれかに記載の閉鎖装置。
【請求項７】
前記ディスクが、磁性材料が含浸されたプラスチック材料を備えたことを特徴とする請求項６に記載の閉鎖装置。
【請求項８】
前記弁板が、前記弁板（３）の上面に、ドーム状に隆起した突起部（１４）を備えたことを特徴とする請求項１乃至７のいずれかに記載の閉鎖装置。
【請求項９】
前記開放位置において、前記弁板（３）と前記容器の周囲にほぼ延びる前記第２縁部との間に開口部が画定されることを特徴とする請求項３に記載の閉鎖装置。
【請求項１０】
前記装置が、前記容器（１）の内部の圧力を開放する手段（３２）を備え、
前記手段は、安全バルブであることを特徴とする請求項１乃至９のいずれかに記載の閉鎖装置。
【請求項１１】
請求項１乃至１０のいずれかに記載の閉鎖装置を備えたことを特徴とする液体用容器。
【発明の詳細な説明】
【技術分野】
【０００１】
本発明は、流体用容器のための閉鎖機構に関する。また、こぼすことなく飲むための容器に関する。
【背景技術】
【０００２】
先行技術において、流体用容器のための様々な閉鎖機構が知られている。例えば、ＷＯ０１９７６６３は、こぼすのを防ぐ閉鎖およびカップを開示しており、飲み口が設けられたふたを含む、端部が開口した飲料用容器に適合させるための閉鎖アッセンブリを備えている。飲み口は、曲げやすい部分を含むバルブを有しており、吸い込みにより飲み口に圧力差が生じた場合に流体が流れるよう、フレキシブルな部分は開口可能となっている。圧力差が無い場合、フレキシブルな部分がバルブを閉じる。
【０００３】
ＵＳ２００６２２６１４６は、カップとふた部分とを備えた飲料用容器を開示しており、ふた部分は、閉鎖フラップを含んでいる。この場合、閉鎖フラップは、流体の流出口を開けるためのふたにヒンジで支持されている作動ハンドルによって、そらし可能となっている。閉鎖フラップは弾性を有しており、このため、作動ハンドルからの圧力が取り除かれたとき、閉鎖フラップはその閉鎖位置に戻る。
ＵＳ２００２／０１７９６３７には、やかんなどの、液体を含む容器のための安全装置が記載されている。フラップが容器にヒンジで結合されるとともに、当該フラップは、流体がフラップを押した場合に流体開口部３６を覆いかつ閉めるよう構成されている。フラップは、開口部の領域の磁石に引き寄せられる磁石を備えており、これによって、外部からの影響がフラップを開放するよう働かない限り、フラップは閉鎖位置に保持されたままとなる。容器は、フラップを開放位置に保持するための手段を備えていない。容器から注ぐとき、使用者は、フラップを開放位置に保持するため、力を連続的にフラップに対して及ぼす必要がある。
【先行技術文献】
【特許文献】
【０００４】
【特許文献１】ＷＯ０１９７６６３
【特許文献２】ＵＳ２００６２２６１４６
【特許文献３】ＵＳ２００２／０１７９６３７
【発明の概要】
【発明が解決しようとする課題】
【０００５】
先行技術の装置においては、使用者が容器からひと口飲もうとするたび、開放力を閉鎖アッセンブリに対して印加する必要がある。開放力は、この力が吸引によるものであるか、または手で印加された力であるかによらず、流体を容器から出すために印加される。開放力が無い場合、閉鎖アッセンブリは、自動的に閉鎖位置に戻る。
【課題を解決するための手段】
【０００６】
本発明は、流体用容器のための閉鎖装置を提供する。閉鎖装置は、流体が容器から流出する開放位置、および、流体が容器から流出するのをほぼ防ぐ閉鎖位置を有する弁板を有する双安定バルブを備えている。閉鎖装置は、弁板を開放位置に保持する力を弁板に及ぼすための手段を備えている。双安定バルブは、前記手段によって及ぼされる力に打ち勝つよう、弁板に向かって押している容器内側の流体に応じて閉まる構成となっている。
【０００７】
閉鎖機構において、機構が閉鎖位置にあるとき、バルブを完全に閉鎖するよりもむしろ、部分的な閉鎖をもたらすことが可能である。このことは、バルブが開放位置にあるときに可能な流速に比べれば減少した速度ではあるが、流体が容器から流出することをまだ可能とする。
【０００８】
バルブが双安定となっているので、バルブは、外的な作用がその位置を変えるまでは、開放または閉鎖位置のままとなっている。このことは、例えば、容器からひと口飲もうとするたびに、開放ハンドルを作動させる、または飲み口を吸う必要がないことを意味している。本発明は、従って、好都合なことに、使用者が、上部が開口した標準的なカップから飲む場合と同様に、容器から飲むことを可能としている。とりわけ、本発明に関して、流体が、へりの周りの任意の位置から流出することが可能であり、このため、使用者が使用者の口に対して飲み口を調整する必要がない。このことは、本発明を、幼児だけでなく、全ての年代の人々によって使用されるのに適したものとしている。装置は、上部が開口した通常のグラスから飲む方法について、幼児をトレーニングするために使用され得る。
本発明が、多くの様々な分野に対して有用であることも予想される。例えば、本発明は、旅行用カップ、キャンプ用マグおよび子供用カップなどとして使用され得る。本発明はまた、使い捨ての形態で具体化され得る。装置は、温かい飲料および冷たい飲料の両方において同様に使用可能である。
【０００９】
閉鎖装置はまた、こぼれることを防ぐのが望ましい様々な容器において適用可能である。これは、燃料缶、研究室、調剤または医療環境において使用される容器、工業のまたは生産の工程において使用される容器、クリーニング用製品および化粧品などの家庭において使用される容器、および、当業者がこの装置の利点を適用することを知っていると考えられるその他の多数の用途において使用される容器を含んでいる。ここで示されている用途は、小さな寸法の装置に対するものである。しかしながら、産業の規模で流体を輸送し、貯蔵し、または分配するのに使用されるコンテナなどの、より大きな寸法の装置に対して閉鎖装置を使用することも可能である。
【００１０】
閉鎖装置はまた、容器からの流出点が容器の底面または側部にある分配装置に対しても適用され得る。使用者は、閉鎖装置の下に受け取り装置を配置することができる。そして使用者は、装置が開放位置に保持されるとき、装置を十分な程度に開放することができ、そして、流れが、例えば、分配される。閉鎖装置はまた、バルブを完全に開放せず、バルブを中間位置に保持することにより、容器からの流出がより少ない程度となるよう開放されてもよい。この場合、流体の流出が、より使用者によって制御される。
【００１１】
有利には、バルブは、バルブの弁板に対して衝撃が及ぼされたときに自動的に閉じるよう構成されている。容器が、その立っている姿勢から偶然にひっくり返されたとき、または落とされたとき、容器に含まれている流体は、自然と、無秩序に容器の内側で移動しようとし、かつ、閉鎖機構を押すであろう。双安定のバルブは、この力の影響のもとで、開放位置から閉鎖位置へと移動するよう適合されている。同様に、使用者が慎重にバルブを閉めることを決定する場合、このことを可能とする１つの方法は、容器と閉鎖アッセンブリとを、少しの間、一方向に振ることである。これによって、閉鎖アッセンブリに付与された慣性が、バルブを閉めようとする。バルブを閉めるためには、弁板を開放位置に保持するようバルブに働いている力に打ち勝つため、容器の内側の流体によって弁板に及ぼされる力が、所定の力よりも大きいか、または等しい必要がある。
【００１２】
バルブは、好ましくは、一体的な可動部分からなっており、これによって、装置の構造が単純となっている。従って、例えばヒンジ機構を用いている先行技術の装置に比べて、機械的な破損の可能性が低くなっている。
【００１３】
有利には、容器が温かい流体を含み、かつ閉鎖装置が閉鎖位置にある場合、容器の中の温かい空気が膨張することによって引き起こされる圧力の増加は、何ら悪影響を引き起こさない。圧力の増加は、バルブを開く、または弱めるようには働かず、むしろそれは、バルブを閉鎖する方向において働く。閉鎖装置はまた、圧力または熱によってその寸法がバルブの特性に影響するよう変化することがない部品から構成されている。容器それ自体は、温かい流体が容器の中にあるときに所定範囲で拡張可能な、より弾力性のある材料からなっていてもよい。閉鎖装置のさらなる利点は、バルブが容器の中の温かい空気によって圧力をかけられている場合に、使用者によってバルブが容易に開放され得るということである。バルブ本体の大きな表面領域が、使用者が容器それ自体の大きな領域にわたって開放力を印加することを可能としている。穴(aperture)が、使用者に対して、弁板への通路を提供する。穴は、閉鎖装置および／または容器に設けられていてもよい。そのような利点は、閉鎖装置が温かい飲料を含む持ち運び可能な容器に用いられるとき、とりわけ有利であることがはっきり示される。
【００１４】
圧力の増加が所望よりも大きい場合、閉鎖装置は、圧力を和らげるまたは開放する手段が容易に閉鎖装置または閉鎖装置と組み合わされる容器の中に組み込まれるよう実現されていてもよい。
【００１５】
本発明のさらなる有利な選択的な特徴が、従属請求項に詳しく記載されている。
【図面の簡単な説明】
【００１６】
【図１】図１は、本発明の好ましい形態において、閉鎖装置および容器の部分的に分解された側方断面図。
【図２】図２は、閉鎖装置のバルブが開放されている場合の、図１に示す閉鎖装置および容器の側方断面図。
【図３】図３は、閉鎖装置のバルブが閉鎖されている場合の、図１に示す閉鎖装置および容器の側方断面図。
【図４】図４は、バルブの部分の平面図。
【図５】図５は、その他のバルブの部分の平面図。
【図６】図６は、さらなるバルブの部分の平面図。
【図７】図７は、図１に示す閉鎖装置および容器の側面図。
【図８】図８は、図１に示す閉鎖装置および容器のさらなる側面図。
【図９】図９は、図１の場合とは異なるバルブ本体を有する閉鎖装置および容器における部分的に分解された側方断面図。
【図１０】図１０は、参考例としての閉鎖装置および容器の側方断面図。
【図１１】図１１は、本発明の第３の形態における閉鎖装置および容器の側面図。
【図１２】図１２は、図１１に示されている閉鎖装置および容器において、開放位置にある場合に前面から見たときの断面図。
【図１３】図１３は、図１１および図１２に示されている閉鎖装置および容器において、開放位置にある場合に斜めから見たときの断面図。
【図１４】図１４は、図１１乃至図１３に示されている閉鎖装置および容器において、閉鎖位置にある場合に前面から見たときの断面図。
【図１５】図１５は、図１１乃至図１４に示されている閉鎖装置および容器において、閉鎖位置にある場合に斜めから見たときの断面図。
【図１６】図１６は、閉鎖装置の部分の断面図。
【図１７】図１７は、バルブの部分の平面図。
【図１８】図１８は、バルブの部分の側面図。
【発明を実施するための形態】
【００１７】
図１は、閉鎖装置２と容器１とを示している。容器１は、流体を保持するための容器本体部分７と、使用者の口に直接に適用するための、取り外し可能な蓋またはリム部分６と、を含んでいる。リム部分は、容器から容易に取り外し可能であり、このため、容器は、容易に満たされ、または／および洗浄される。しかしながら、これらの作業は、リム部分６が所定位置のままでも実行可能である。容器の周囲に延びるプッシュオン(push-on)フランジ（図示せず）が、リム部分６を容器本体部分７に固定するよう使用され得る。または、リム部分６および容器本体部分７が、ねじ式の結合によって互いに取り付けられ得る。
【００１８】
閉鎖装置２は、バルブディスクの形状からなる弁板３を含む双安定のバルブと、第１および第２縁部４，５を有する第１および第２バルブシート３４，３５と、を備えている。弁板３は、第１縁部４と第２縁部５との間で移動可能となっており、また、それらに係合するとき、バルブの閉鎖および開放位置をそれぞれ画定する。容器が直立しているとき、第１縁部４は、第２縁部５の上方に位置している。従って、バルブを開放するため、下方への力、または容器１の内側に向かう力が、弁板３に作用するために必要とされる。また、バルブを閉鎖するため、反対方向における力、すなわち、容器１の内部から遠ざかる力が必要とされる。このようにして、容器１から飲むことが望まれるとき、弁板３をゆるめることによって、バルブが開放される。容器１からひと口飲む場合などに、使用者の鼻または唇によって弁板３がゆるめられるよう弁板３を構成することが可能である。有利には、弁板３は、一体的に移動する部品として構成される。
【００１９】
図２は、バルブディスク３を有する図１の閉鎖装置２および容器１であって、開放位置にある場合、すなわち第２縁部５に係合している場合の閉鎖装置２および容器１を示している。弁板３の周縁には、多数の凹部１０が形成されている。また図６に示すように、縁部５の内側の周縁には、多数の凹部１３が形成されている。縁部５は、図２により明確に示されているように、弁板３が縁部５に着座しているときに流体９が凹部１０および凹部１３を通ることができるよう、構成されている。符号１０は、凹部や後述する孔など、流体９を通すために弁板３に形成された部分を表している。
【００２０】
図３は、弁板３を有する図１の閉鎖装置２および容器１であって、閉鎖位置にある場合、すなわち第１縁部４に係合している場合の閉鎖装置２および容器１を示している。第１縁部４の寸法は、弁板３が第１縁部４に係合する場合にバルブディスクの周囲の周りの凹部が閉鎖され、これによって流体が流出しないようになっている。
【００２１】
第１および第２縁部４，５は、バルブディスクを所定位置に保持するための少なくとも１つの磁石を含んでいる。好ましくは、縁部４，５は、磁性材料が含浸されたプラスチック材料などの、磁性材料からなっており、また、バルブディスクは、磁石に引きつけられ得る金属材料からなっている。弁板３を閉鎖位置に保持するために、上側の縁部４のみが磁化され、また、バルブが開放されているときに弁板３を下側の縁部５に対して保持するために、重力を当てにすることが可能である。しかし、そのような構成は、本発明の範囲内ではない。バルブディスク３を所定位置に保持するための磁気的手段に代えて、掛け金機構などの機械的手段が利用されてもよい。しかしながら、掛け金機構などの機械的手段は、本発明の範囲内ではない。
【００２２】
図４は、容器１のリム部分６の内側に収められた第１縁部４を示す平面図である。縁部４が、容器リム部分６に一体的に形成されていてもよく、容器リム部分６から独立して形成され、容器リム部分６に取り付けられていてもよい。縁部４は、中央環状穴１２を画定しており、バルブが開放されているとき、流体がこの中央環状穴１２を通る。縁部は、ガスケットまたはシールを備えていてもよい。若しくは、縁部が、少なくとも部分的にガスケットまたはシールによって構成されていてもよい。
【００２３】
図５は、部材３の周囲に均等に分布する凹部１０を含む弁板３を示す平面図である。弁板３は、安全バルブなどの圧力開放手段３２を含んでいてもよい。
【００２４】
図６は、容器本体部分７の壁８の内側に収められた第２縁部５を示す平面図である。好ましくは、弁板３は、閉鎖位置にある場合に、開放位置にある場合よりもより堅固に保持される。これによって、装置が閉鎖されているとき、使用者が装置を開放することを決めるまで、装置が閉鎖されたままとなることが確実になり、また、容器からの漏れをなくすのに役立つ。さらに、弁板３を開放位置に保持するのに必要とされる力は、以下のことを確実にするために最適化されている。すなわち、使用者が容器から飲むとき、飲む動作がバルブの閉鎖を引き起こさず、しかし、バルブを開放保持する力が、容器がひっくり返された場合または落とされた場合に弁板３が閉鎖位置に押し込まれる程度に弱いよう、最適化されている。これを磁気的に実現する１つの方法は、第２縁部５を第１縁部４よりも磁気的に弱くすることである。示されている例において、このことは、第２縁部５を、第１縁部４よりも弱い磁性材料から形成することによって実現されている。この場合、とりわけ、第２縁部５において、のこぎり状の歯の構成が用いられている。バルブが開放されているときに流体が通る凹部１３が、第２縁部５によって画定されている。弁板３は、装置が開放位置にあり、弁板３が縁部５に着座しているとき、この凹部が閉鎖されないよう構成されている。
【００２５】
図示はされていないが、縁部のその他の構造は、１つまたは２つ以上の磁気を帯びたバンド(magnetic band)を利用している。磁気を帯びたバンドは、バルブディスクが設けられる容器の内周面に配置されている。バルブディスクが閉鎖装置から落ちるのを防ぐため、磁気を帯びたバンドの下方および／または上方に、フランジが設けられていてもよい。
【００２６】
図７は、弁板３が開放位置にあるときの、図１の閉鎖装置２および容器１を示している。この場合、容器が傾けられており、また、使用者が容器から飲んでいる。矢印Ａは、流体が容器から流出する経路を示している。はじめに、流体は、第２縁部５の凹部１３、および、弁板３の凹部１０の間を通る。流体は、その後、流体は、第１縁部４によって画定される穴１２を通り、そして、容器リム部分６を超えて使用者の口の中に入る。
【００２７】
図８に示されているように、第２縁部５の磁石の強さは、使用者が容器を鉛直に対して所定角度を越えて傾けた場合、容器本体部分７の内側にある流体の量によっては、弁板３が流体圧力によって閉鎖位置に動くよう選択される。同様に、装置が落とされた、またはひっくり返された場合、流体の圧力が、弁板３を閉鎖位置に移動させる。バルブは、使用者が容器を振る場合に閉じるよう構成されていてもよい。装置は、単に弁板３を押すことにより再び開放されてもよい。
【００２８】
図９は、弁板３の変形例を示している。ここでは、弁板３の上面上にドーム状の突起部が設けられている。突起部１４は、閉鎖装置内に残っている流体が容器の本体部分７に戻るよう導くのを助ける。さらに、突起部１４は、使用者が弁板３を押すことを容易にするボタンとして働くことができる。
【００２９】
好ましくは、容器本体部分７の面８は、図７および図８に示すように、上下方向において外方へ凸となるよう湾曲した面の輪郭を有している。この特徴により、容器がひっくり返されたときに生じる流体の流れが弱められ、これによって、バルブが現実に封をする前にバルブを通って漏れる流体の量が減らされる。
【００３０】
図１０は、閉鎖装置の異なる形態を示している。この場合、弁板は、互いに結合された第１および第２モーション制限エレメント２２，２３を備えている。第１および第２モーション制限エレメント２２，２３は、バルブリム部２４を有するバルブシート２５に係合可能となっている。容器が直立しているとき、第１モーション制限エレメント２２は、第２モーション制限エレメント２３の上に配置される。また、バルブが開放位置にあるとき、第１モーション制限エレメントは、バルブリム部２４に係合する。第２モーション制限エレメントは、第１モーション制限エレメントの下に配置されている。また、バルブが閉鎖位置にあるとき、第２モーション制限エレメントは、バルブリム部２４に係合する。
【００３１】
第１モーション制限エレメント２２は、その周囲に一連の孔を含んでいる。第１モーション制限エレメント２２がバルブリム部２４に当接しているとき、これらの孔が、流体を通すことができる。
【００３２】
図１０に示す装置は、図１乃至９に示す装置とほぼ同様に作用する。２つの縁部と、好ましくは平坦なバルブディスクの形状を有する弁板と、が設けられる代わりに、ただ１つの縁部と、２つのディスクエレメントを有する弁板とが設けられる点が異なるのみである。２つのディスクエレメントは、スピンドル２１により互いに結合され得る。
【００３３】
図１１は、本発明による閉鎖装置のさらなる形態を示す図である。当該形態は、流体を保持するための容器本体部分７と、容器の上蓋を形成するリム部分６と、を含んでいる。
リム部分６は、容器から容易に取り外し可能となっており、これによって、容器に容易に流体を満たすこと、および／または、容器を洗浄することが可能となっている。しかしながら、これらの作業は、リム部分が元の場所のままで実施されてもよい。
【００３４】
閉鎖装置２は、弁板３（図１１においては図示せず）を有する双安定のバルブと、第１および第２弁座３４，３５と、を備えている。第１弁座３４は、リム部分６から構成されており、また、第２弁座３５は、容器本体部分７から構成されている。閉鎖装置はまた、バルブが閉鎖位置にあるときに流体が流出するために通る経路を閉鎖するシールまたはガスケット２６を備えている。シール２６は、第１バルブ部４における重要な構成要素となっている。装置の動作は、図１２乃至１７を参照してより詳細に説明される。
【００３５】
図１２は、開放位置にある図１１の閉鎖装置を斜めから見た場合の断面図である。
【００３６】
弁板３は、第２弁座３５に対して所定の位置に保持されている。弁座３５は、容器本体７の外側の周囲に延びる溝の中に少なくとも部分的に配置されたリング２８を含んでいる。なお、図示はされていないが、第１弁座３４が容器本体７上に配置されていてもよく、また、第２弁座３５がリム部分６上に配置されていてもよい。弁座３５はまた、閉鎖位置にある場合に弁板３が着座する縁またはフランジ２９を備えている。リム２９は、少なくとも部分的に、容器１の内側の部分の内側の周囲に形成されている。リム２９は、弁板３の移動の最大程度を制限する制限ストップを画定している。
【００３７】
弁板３は、磁力によって閉鎖位置に保持されている。リング２８は、鋼などの、磁石に引き寄せられる材料から構成され得る。この場合、弁板３は、リング２８に向かって磁力を及ぼす材料から構成されている、または、リング２８に向かって磁力を及ぼす材料を備えている。または、リング２８は、引き寄せの磁力を発生させることができる材料から構成され得る、または、引き寄せの磁力を発生させることができる材料を備えることができる。この場合、弁板３は、代わりに、磁力によって引き寄せられる材料から構成されている、または、引き寄せの磁力を発生させる磁性材料から構成されている。
【００３８】
縁部３０がリング２８と弁板３との間に配置されている場合であっても、リング２８と弁板３との間に磁気的な引き寄せが存在している。リング２８，３０が容器１の外側に配置されていることの利点は、それらが容器１の内側の流体に接触しないということである。
【００３９】
容器がひっくり返された場合、内側の流体が弁板３にぶつかり、そして、部材に及ぶ流体の力が、リング２８と弁板３との間の引き寄せの磁力に対して作用する。引き寄せ力の大きさは、使用者がカップから飲む場合に、弁板に及ぶ流体からの力が、引き寄せの磁力に打ち勝つ程度には大きくないよう、しかし、カップがひっくり返された場合に、その力が、引き寄せの力に打ち勝つ程度に大きく、かつ、弁板を弁座３５から反対側の弁座３４に向かって動かす程度に大きいようになっている。
【００４０】
図１３は、図１２に見られるような開放位置にある場合の閉鎖装置を示す斜視図である。流体は、例えば使用者が容器から飲むことを望むときに、容器から流出することができる。なぜなら、弁板３が、弁板３の周囲に位置するとともに、流体がそれを通って流れることができる多数の孔１０を備えているからである。弁座３５に当接している弁板３の部分は、孔１０を含んでいない。このため、流体の流れが妨げられることはない。
【００４１】
図１４は、閉鎖位置にある装置を示している。弁板３は、リング２７と弁板３との間の引き寄せの磁力によって、第１弁座３４に対して保持されている。
弁座３４は、弁座３５に関して上述されたのと同一の特性または特徴を有することができる。縁部またはフランジ２９が、閉鎖位置に保持されているときに弁板３が係合するバルブリム６の内側部分によって形成されている。また、容器が直立した状態にあるときに第１弁座が第２弁座の上に配置されている限りは、第１弁座３４が容器本体７の中に配置されていてもよい（図示せず）。
【００４２】
閉鎖装置は、第１弁座３４の上に配置されたシールまたはガスケット２６を備えている。シールは、弁板が閉鎖位置にある場合に、弁板３の孔１０がシールによって覆われるよう配置されている。これによって、容器からの流体の経路が閉鎖される。また、シールが部分的にのみ孔を覆っていてもよいということも想像可能である（図示せず）。これによって、閉鎖位置にあるとき、所定のレベルでの流れが、まだ容器から出ることができる。図１３と図１５との比較は、閉鎖装置が開放位置にあるときに（図１３）、弁板３内の孔１０が妨げられず、従って、流体が容器１から流出できる、ということを示している。図１５においては、シール２６が孔を覆っており、従って、流体が容器１から流出できない。
【００４３】
図１６は、閉鎖装置の断面図の一部を拡大して示す図である。
【００４４】
弁板３が、開放および閉鎖位置の両方で示されている。ここで、閉鎖位置の場合の部材は点線で示されている。開放位置において、弁板３は、第２縁部３０に着座している。弁板とリング２８との間の引き寄せの磁力が、弁板を所定位置に保持している。流体は、図に示されている周囲の位置において、孔１０を通って流出できる。開放位置において、弁板３は、第１縁部２９に着座している。弁板３とリング２７との間の引き寄せの磁力が、弁板を開放位置に保持している。シール２６が第１弁座３４の上に配置されている。このシール２６が、弁板３に係合し、これによって、シールが無ければ流体が容器の容器本体部分７の内側から進む経路を遮断する。
【００４５】
容器１は、スナップ嵌めによる結合部３３によって容器本体部分７に固定されたリム部分６によって構成されるよう示されている。リム部分６は、取り外し可能となっている。ここには示されていないが、ねじ結合など、アタッチメントのその他の形態が可能である。
【００４６】
図１４および図１５に示されている閉鎖位置から容器を開放するため、使用者は、容器の上部の孔１２を介して弁板３に力を印加することができる。この孔１２により、使用者は、弁板３を押すことができる。使用者が、弁板３とリング２７との間の引き寄せの磁力に打ち勝つ程度に強く押す場合、弁板３は、使用者によって、弁板３が第２弁座３５に対して位置する開放位置に向かって押され得る。使用者が、閉鎖装置を開放するよう押す方向が、図１５において矢印により示されている。
【００４７】
バルブ本体３は、閉鎖位置よりも開放位置にある場合により強固に保持され得る。このことは、内側リム２９よりも内側リム２８の厚さが小さいことによって達成され得る。
【００４８】
図１７は、ディスク形態による図１１乃至１５の弁板３を示している。孔１０は、ディスクのメイン領域の内側において、ディスクの外周に均等に配置されている。孔の不規則な配置もまた可能である。弁板３はまた、バルブが開放および閉鎖位置にある場合それぞれにおいて第１および第２縁部４，５に対して隣接するディスクの周囲を囲む隆起したリム３１を有している。弁板３は、磁石が含浸されたプラスチック材料からなっていてもよい。圧力開放手段３２がディスク上に配置されていてもよい。この部材はまた、弁板の中心から外れて配置されていてもよい（図示せず）。この手段は、安全バルブであってもよい。
【００４９】
図１８はまた、弁板３を示している。隆起されたリム３１と、ディスクの上面にある突起部１４とが示されている。突起部はドーム状に形成されている。
【００５０】
バルブが開放または閉鎖でロックされる、閉鎖装置のロック状態を提供することが可能である。これは、閉鎖装置の内側でつまみ（lug）を使用することにより達成され得る。
この場合、例えばバルブ本体を回転させてつまみと係合させることによって、バルブ本体が所定位置にロックされる。
【００５１】
閉鎖装置は、リム部分の内側に完全に配置されていてもよく、この場合、リム部分は、容器本体からの取り外しが可能な、容器の上蓋を形成している。
【００５２】
容器は、少なくとも部分的に、容器の中に温かい流体が入っている場合に膨張する曲がりやすい材料を備えていてもよい。容器本体の側部は、このような膨張を可能とするよう、じゃばら（concertina）のような形態をとっていてもよい。バルブの封止特性が、そのような構成によって劣化することはない。
【００５３】
その他に、または、曲がりやすい材料を備えた容器の部分に加えて、容器は、容器の中に温かい流体が封入された場合に容器内の圧力を軽減する手段を備えていてもよい。そのような手段として、広い種類が知られている。手段は、例えば、閉鎖装置または容器に配置された安全バルブを含んでいてもよい。安全バルブは、例えば、シリコンの安全バルブであってもよい。
【００５４】
ここでは図示されてはいないが、請求項によって定義されている保護の範囲内において、各図において開示されている特徴が、他の形態を構成するよう組み合わされてもよい。
【００５５】
ここで、流体という文言は、容器の中に入れられ、かつ容器から注がれる様々な物を含むことを意図しており、例えば、液体および粉末体、または粒状物質を含んでいる。
【００５６】
上述のような本発明の形態において、弁板を弁座に対して引き寄せる磁力が、弁板の製造において（磁界を生成する）磁性材料を用いることによって発生され得ることが理解されるであろう。弁座は、磁石により引き寄せられる材料、例えば鋼からなっていてもよい。弁座それ自体が磁性材料からなっていてもよい。この場合、弁板が磁性材料からなっている必要はなく、単に、（鋼などの）磁力によって引き寄せられる材料からなっていればよい。
【００５７】
本発明の使用において、容器は、最初は弁板が閉鎖位置にある場合に、弁板を取り除くことなく、充填または再充填され得ることが理解されるべきである。容器を満たすのに使用される液体（またはその他の注ぐことができる材料、例えば粒状の固体）は、弁板の上部に注がれ得る。これによって、液体の重量が、弁板を閉鎖位置に保持している力に打ち勝ち、そして、バブル部材を開放位置に移動させる。これによって、容器の内側にアクセスすることが可能となる。その後、液体は、容器の中に流れ込むことができる。
【図１】
0005832745.tif 000002
【図２】
0005832745.tif 000003
【図３】
0005832745.tif 000004
【図４】
0005832745.tif 000005
【図５】
0005832745.tif 000006
【図６】
0005832745.tif 000007
【図７】
0005832745.tif 000008
【図８】
0005832745.tif 000009
【図９】
0005832745.tif 000010
【図１０】
0005832745.tif 000011
【図１１】
0005832745.tif 000012
【図１２】
0005832745.tif 000013
【図１３】
0005832745.tif 000014
【図１４】
0005832745.tif 000015
【図１５】
0005832745.tif 000016
【図１６】
0005832745.tif 000017
【図１７】
0005832745.tif 000018
【図１８】
0005832745.tif 000019